【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
排気ガス処理コンポーネントと、
排気ガス処理液を貯留するためのタンクと、
排気ガス処理コンポーネントに隣接した位置で排気ガス流内に排気ガス処理液を分散させるための排気ガス処理液投与システムであって、排気ガス処理液を排気ガス流に投与する複数の投与モジュールに、加圧下の排気ガス処理液を付与する液分配器を有し、かつ未使用の排気ガス処理液をタンクに戻すための戻り部を有する排気ガス処理液投与システムと、
液分配器と戻り部との間に配置され、液分配器および戻り部のそれぞれと流体連通する弁であって、排気ガス処理液投与システムの排気ガス処理液の除去動作中に、タンクに戻る前に、戻り部から液分配器へ排気ガス処理液が流れることを可能にするように構成された、弁と、
弁と通信する制御器であって、弁を開き、排気ガス処理液の除去動作中に液分配器と戻り部との間で流体連通を可能にし、排気ガス処理液の除去動作中に未使用の排気ガス処理液がそこから排出されるように構成された制御器と、
を含むことを特徴とする、排気ガス後処理システム。
【請求項２】
排気ガス処理液投与システムは、液分配器を加圧し、投与モジュールの流入ラインを加圧するためのポンプを含むことを特徴とする、請求項１に記載の排気ガス後処理システム。
【請求項３】
ポンプは可逆的であって、排気ガス処理液投与システムから排気ガス処理液を除去することを特徴とする、請求項２に記載の排気ガス後処理システム。
【請求項４】
排気ガス処理液は、尿素排気ガス処理液であることを特徴とする、請求項１に記載の排気ガス後処理システム。
【請求項５】
排気ガス処理コンポーネントは、選択的触媒還元コンポーネントであることを特徴とする、請求項４に記載の排気ガス後処理システム。
【請求項６】
液分配器および戻り部の少なくとも一方は、アーチ状であることを特徴とする、請求項１に記載の排気ガス後処理システム。
【請求項７】
液分配器および戻り部の空気パージのための空気ポンプをさらに含むことを特徴とする、請求項１に記載の排気ガス後処理システム。
【請求項８】
排気ガス通路と、
排気ガス通路に配設された少なくとも１つの排気ガス処理コンポーネントと、
排気ガス通路を通過する排気ガス流内に排気ガス処理液を投与するための複数の投与モジュールと、
投与モジュールのそれぞれに排気ガス処理液を供給する液分配器であって、第１の対の脚部に分割される、液分配器と、
第２の対の脚部に分割される戻り部と、
液分配器の第１の脚部と戻り部の第１の脚部との間に配置され、液分配器の第１の脚部および戻り部の第１の脚部と流体連通する第１の弁であって、排気ガス処理液の除去中に、戻り部の第１の脚部から液分配器の第１の脚部へ排気ガス処理液が流れることを可能にするように構成された、第１の弁と、
液分配器の第２の脚部と戻り部の第２の脚部との間に配置され、液分配器の第２の脚部および戻り部の第２の脚部と流体連通する第２の弁であって、排気ガス処理液の除去中に、戻り部の第２の脚部から液分配器の第２の脚部へ排気ガス処理液が流れることを可能にするように構成された、第２の弁と、
第１および第２の弁のそれぞれと通信する制御器であって、第１および第２の弁を開き、排気ガス処理液の除去中に流体連通を可能にするように構成された、制御器と、
を含むことを特徴とする排気ガス後処理システム。
【請求項９】
冷却液を各投与モジュールに供給する冷却液分配器を有する冷却システムをさらに含むことを特徴とする、請求項８に記載の排気ガス後処理システム。
【請求項１０】
排気ガス処理液投与システムは、液分配器を加圧し、投与モジュールの流入ラインを加圧するためのポンプを含むことを特徴とする、請求項８に記載の排気ガス後処理システム。
【請求項１１】
ポンプは可逆的であって、排気ガス処理液の除去中に、液分配器および戻り部から排気ガス処理液を除去することを特徴とする、請求項１０に記載の排気ガス後処理システム。
【請求項１２】
排気ガス処理液は、尿素排気ガス処理液であることを特徴とする、請求項８に記載の排気ガス後処理システム。
【請求項１３】
排気ガス処理コンポーネントは、選択的触媒還元コンポーネントであることを特徴とする、請求項１２に記載の排気ガス後処理システム。
【請求項１４】
液分配器および戻り部の空気パージのための空気ポンプをさらに含むことを特徴とする、請求項８に記載の排気ガス後処理システム。
【請求項１５】
複数の脚部に分割するように構成された排気ガス通路と、
脚部のそれぞれに配設された排気ガス処理装置と、
排気ガス通路へ排気ガス処理液を投与するための複数の投与モジュールであって、複数の投与モジュールの少なくとも１つが、排気ガス通路の対応する脚部と関連付けられている、複数の投与モジュールと、
投与モジュールのそれぞれに排気ガス処理液を付与するように構成された液分配器、および投与モジュールの各々から未使用の排気ガス処理液を受け取るように構成された戻り部であって、該液分配器および戻り部が、液分配器、複数の投与モジュールおよび戻り部からの排気ガス処理液の除去中に、液分配器および戻り部間に配置される複数の第１の弁を介して流体連通し、該第１の弁が、排気ガス処理液の除去中に、戻り部から液分配器へ排気ガス処理液が流れることを可能にするように構成された、液分配器および戻り部と、
第１の弁のそれぞれと通信する制御器であって、第１の弁のそれぞれを開け、排気ガス処理液の除去中に液分配器および戻り部間の流体連通を可能にするように構成された、制御器と、
複数の脚部のそれぞれ中への、排気ガス通路からの排気ガスの流入を制御するように構成された複数の第２の弁と、
を含むことを特徴とする排気ガス後処理システム。
【請求項１６】
液分配器および戻り部の少なくとも一方は、アーチ状であることを特徴とする、請求項１５に記載の排気ガス後処理システム。
【請求項１７】
液分配器を加圧し、投与モジュールの流入ラインを加圧するためのポンプをさらに含むことを特徴とする、請求項１５に記載の排気ガス後処理システム。
【請求項１８】
排気ガス処理液は、尿素排気ガス処理液であることを特徴とする、請求項１５に記載の排気ガス後処理システム。
【請求項１９】
排気ガス処理コンポーネントは、選択的触媒還元コンポーネントであることを特徴とする、請求項１８に記載の排気ガス後処理システム。
【請求項２０】
ポンプは可逆的であって、液分配器、投与モジュールおよび戻り部から排気ガス処理液を除去することを特徴とする、請求項１７に記載の排気ガス後処理システム。
【請求項２１】
制御器は、複数の第２の弁および投与モジュールのそれぞれを制御するように構成されることを特徴とする、請求項１５に記載の排気ガス後処理システム。
【請求項２２】
制御器は、低減されたエンジン負荷の期間中、複数の第２の弁のそれぞれを閉じるように動作可能であり、各脚部の第２の弁のいずれか１つが閉じている場合、制御器は、その脚部に関連付けられた投与モジュールが各脚部に排気ガス処理液を投与するのを防ぐように動作可能であることを特徴とする、請求項２１に記載の排気ガス後処理システム。
【請求項２３】
液分配器および戻り部の空気パージのための空気ポンプをさらに含むことを特徴とする、請求項１５に記載の排気ガス後処理システム。